(57)【要約】【課題】本発明は、収容袋を容易に取り替えることができるとともに、デザインのバリエーションを増やすことができる流体吐出容器を提供することを目的とする。【解決手段】本発明に係る流体吐出容器１は、流体が収容された収容袋Ｂを内部に格納し、該収容袋Ｂ内の流体を外部に吐出するためのものである。本体吐出容器１は、収容袋Ｂの上部を被覆する側壁１１を有する上側容器部１０と、収容袋Ｂの下部を被覆する側壁２１を有する下側容器部２０とに長さ方向に着脱可能に分割されるものとなされている。また、本流体吐出容器１は、上側容器部１０に収容袋Ｂ内の流体を外部に吐出する吐出機構１２が設けられているとともに、下側容器部２０の側壁２１において収容袋Ｂが出し入れ可能な開口部２１１が長さ方向に沿って形成されている。【選択図】図１
2014065535.tif 000002
【特許請求の範囲】
【請求項１】
流体が収容された収容袋を内部に格納し、該収容袋内の流体を外部に吐出するための流体吐出容器であって、
前記収容袋の上部を被覆する側壁を有する上側容器部と、前記収容袋の下部を被覆する側壁を有する下側容器部とに長さ方向に着脱可能に分割され、上側容器部に収容袋内の流体を外部に吐出する吐出機構が設けられるとともに、前記下側容器部の側壁に前記収容袋が出し入れ可能な開口部が長さ方向に沿って形成されていることを特徴とする流体吐出容器。
【請求項２】
前記下側容器部は、前記開口部が側壁の上端部から下端部に延びる態様で形成されている請求項１に記載の流体吐出容器。
【請求項３】
前記下側容器部は、前記上側容器部に嵌合される中筒が上端部に設けられ、該中筒に前記下側容器部の側壁の開口部に連続する第２の開口部が形成されている請求項１または請求項２に記載の流体吐出容器。
【請求項４】
前記下側容器部の中筒に雄螺子部が設けられるとともに、前記上側容器部の内部に雌螺子部が設けられ、該雄螺子部と雌螺子部が互いに螺着可能となされている請求項３に記載の流体吐出容器。
【請求項５】
前記下側容器部は、前記収容袋の上端部に設けられたコネクタを係止するための係止部材が設けられている請求項１ないし請求項４のいずれかに記載の流体吐出容器。
【請求項６】
前記上側容器部は、該側壁が周方向に全周に亘って設けられている請求項１ないし請求項５のいずれかに記載の流体吐出容器。
【請求項７】
前記吐出機構は、前記収容袋に収容された流体を外部に吐出するポンプ機構である請求項１ないし請求項６のいずれかに記載の流体吐出容器。
【請求項８】
流体が収容された収容袋を内部に格納した請求項１ないし請求項７のいずれかに記載の流体吐出容器。
【発明の詳細な説明】
【技術分野】
【０００１】
本発明は、流体が収容された収容袋を内部に格納し、該収容袋内の流体を外部に吐出するための流体吐出容器に関するものである。
【背景技術】
【０００２】
従来より、パーマ液、シャンプー、リンス、ボディソープ、消毒液、調味料等のような種々の流体を容器内部に収容し、該流体を容器外部に吐出する流体吐出容器が広く用いられている。この流体吐出容器は、流体を容器内部に直接収容し、容器上部に設けられた手押し式ポンプ機構やトリガー式ポンプ機構等により容器内部の流体を吸入し、容器外部に流体を吐出するものである。
【０００３】
このような流体吐出容器は、使用によって容器内部の流体が空になると流体吐出容器ごと廃棄されていたが、最近ではエコロジー（自然環境保護）の観点から、容器内部の流体が空になった場合に流体を補充するためのものとして、該流体を収容した収容袋を取り替え可能なものが知られている。例えば、特許文献１には、この収容袋を流体吐出容器内に格納し、該収容袋をポンプ機構と連結することによって、流体吐出容器を再利用することができるものが開示されている。
【０００４】
具体的には、特許文献１に開示される流体吐出容器は、流体が収容された収容袋を格納するカートリッジと、該カートリッジを内側に収容する有底筒状のケーシングと、該ケーシングの上部に取り付けられるポンプ機構（上部ユニット）とを備えている。この流体吐出容器において、空になった収容袋の取替作業の工程としては、第１にケーシングからポンプ機構を取り外し、第２にケーシングからカートリッジを取り出し、第３に空になった収容袋をカートリッジから取り外すことによって、流体吐出容器から空になった収容袋を取り出すことができる。次いで、第４に流体が収容された収容袋をカートリッジに取り付け、第５に収容袋が格納されたカートリッジをケーシングに装填し、第６にカートリッジが装填されたケーシングの上部にポンプ機構を取り付けることによって、流体吐出容器に新たな収容袋を格納することができ、かくして収納袋の取替作業が完了する。
【先行技術文献】
【特許文献】
【０００５】
【特許文献１】特開２０１０−２４１４５４号
【発明の概要】
【発明が解決しようとする課題】
【０００６】
しかしながら、従来の流体吐出容器は、収容袋を取り替えるのに要する工程が多く、収容袋の取替作業が煩雑になるという問題があった。また、収容袋の取り替えが可能となったことから、流体吐出容器自体が交換されることが少なくなるため、流体吐出容器は製造メーカ等によって製造された際のパッケージデザインのままとなり、デザインのバリエーションに乏しいという問題があった。
【０００７】
本発明は、上述の問題に鑑みてなされたものであり、収容袋を容易に取り替えることができるとともに、デザインのバリエーションを増やすことができる流体吐出容器を提供することを目的とする。
【課題を解決するための手段】
【０００８】
本発明は、上記目的を達成するために、流体が収容された収容袋を内部に格納し、該収容袋内の流体を外部に吐出するための流体吐出容器に関するものである。本発明に係る流体吐出容器は、収容袋の上部を被覆する側壁を有する上側容器部と、収容袋の下部を被覆する側壁を有する下側容器部とに長さ方向に着脱可能に分割され、上側容器部に収容袋内の流体を外部に吐出する吐出機構が設けられるとともに、下側容器部の側壁に収容袋が出し入れ可能な開口部が長さ方向に沿って形成されていることを特徴とする。
【０００９】
これによれば、下側容器部の側壁の開口部から収容袋が出し入れ可能であることにより、収納袋を取り替えるスペースが広く確保されるため、収容袋を容易に取り替えることができる。また、容器内部に収容袋が格納された際には、下側容器部の側壁の開口部から収容袋が視認可能であることより、収容袋の表面を流体吐出容器のデザインとして活用し得るため、デザインのバリエーションを増やすことができる。さらに、上側容器部と下側容器部が長さ方向に脱着可能に分割されることよって、収容袋を開口部から下側容器部に入れたあと、その状態で下側容器部を上側容器部の下方から装着し得るため、上側容器部の吐出機構と下側容器部の収容袋を簡単かつ確実に連結することができる。
【００１０】
また、下側容器部は、開口部が側壁の上端部から下端部に延びる態様で形成されているのが好ましい。これによれば、収納袋を取り替えるスペースがより広く確保されるため、収容袋をより容易に取り替えることができる。また、収容袋の表面において視認可能な範囲が広くなるため、デザインのバリエーションをより増やすことができる。
【００１１】
また、下側容器部は、上側容器部に嵌合される中筒が上端部に設けられ、該中筒に下側容器部の側壁の開口部に連続する第２の開口部が形成されているのが好ましい。これによれば、下側容器部の中筒が上側容器部に嵌合し得るため、上側容器部と下側容器部を安定的に装着することができる。また、中筒に第２の開口部が形成されることにより下側容器部全体としての開口範囲が広くなるため、収納袋を取り替えるスペースがさらに広く確保され、収容袋をより一層容易に取り替えることができる。また、中筒が収容袋の上部の側面を支える構造となるため、下側容器部を上側容器部に装着する際に収容袋の上部の形状を保持した状態で上側容器部内に挿入することができる。
【００１２】
また、下側容器部の中筒に雄螺子部が設けられるとともに、上側容器部の内部に雌螺子部が設けられ、該雄螺子部と雌螺子部が互いに螺着可能となされているのが好ましい。これによれば、上側容器部と下側容器部を装着する際に雄螺子部と雌螺子部を螺着させることにより、上側容器部と下側容器部の装着状態を安定的に維持することができる。
【００１３】
また、下側容器部は、前記収容袋の上端部に設けられたコネクタを係止するための係止部材が設けられているのが好ましい。これによれば、下側容器部の係止部材に対して収容袋のコネクタを係止することによって、収容袋のコネクタが下側容器部の内部の所定位置に固定されるため、上側容器部に下側容器部を装着する際に吐出機構と収容袋をより簡単かつ確実に連結することができる。
【００１４】
また、上側容器部は、該側壁が周方向に全周に亘って設けられているのが好ましい。これによれば、使用時において流体吐出容器を握持し易くなり、吐出機構を簡単かつ確実に操作することができる。さらに、収容袋の上部が動くことが防止されるため、収容袋を安定的に格納することができる。
【００１５】
また、吐出機構は、収容袋に収容された流体を外部に吐出するポンプ機構であるのが好ましい。これによれば、流体吐出容器に格納された収容袋内の流体を簡単な動作で外部に吐出することができる。
【００１６】
また、流体が収容された収容袋を内部に格納したものであってもよい。
【発明の効果】
【００１７】
本発明によれば、下側容器部の側壁の開口部から収容袋が出し入れ可能であることにより、収納袋を取り替えるスペースが広く確保されるため、収容袋を容易に取り替えることができる。
【００１８】
また、容器内部に収容袋が格納された際には、下側容器部の側壁の開口部から収容袋が視認可能であることより、収容袋の表面を流体吐出容器のデザインとして活用し得るため、デザインのバリエーションを増やすことができる。このとき、収容袋に収容された流体に関する情報を表示したり、収容袋に任意の情報を記載することも可能になる。また、収容している流体が見えるように収容袋が透明または半透明な素材で形成されている場合、開口部を通じて流体の残量を視覚的に確認することが可能になる。
【００１９】
さらに、上側容器部と下側容器部が長さ方向に脱着可能に分割されることより、収容袋を開口部から下側容器部に入れたあと、その状態で下側容器部を上側容器部の下方から装着し得るため、収容袋と吐出機構を簡単かつ確実に連結することができる。特に吐出機構の吸入管が上側容器部の内部で下方に向けて突出している場合には、上側容器部と下側容器部の装着と同時に吐出機構の吸入管が前記収容袋に差し込まれることとなるため、収容袋と吐出機構の吸入管の連結作業が非常に容易になる。
【図面の簡単な説明】
【００２０】
【図１】本発明に係る流体吐出容器の分割状態を示す斜視図である。
【図２】図１の流体吐出容器を示す側面図である。
【図３】図１の流体吐出容器を示す背面図である。
【図４】図１の流体吐出容器の下側容器部を示す背面図である。
【図５】図１の流体吐出容器を示す縦断面図である。
【図６】図１の流体吐出容器における収納袋の取付作業の工程を示す図である。
【発明を実施するための形態】
【００２１】
次に、本発明に係る流体吐出容器（以下、本容器という）の一実施形態について図１〜図６を参照しつつ説明する。
【００２２】
本容器１は、図１に示すように、パーマ液、シャンプー、リンス、ボディソープ、消毒液、調味料等のような種々の流体が収容された収容袋Ｂを内部に格納し、該収容袋Ｂ内の流体を外部に吐出するためのものである。本容器１は、容器全体の上方側に位置する上側容器部１０と、容器全体の下方側に位置する下側容器部２０とを備えており、該上側容器部１０と下側容器部２０が長さ方向に着脱可能に分割されている。
【００２３】
ここで用いられる収容袋Ｂは、図４中の破線で示すように、一般にパウチと呼ばれる合成樹脂素材からなる可撓性の袋体であり、表面には図柄等による装飾が可能である。また、この収容袋Ｂは、上端部にコネクタＣが設けられており、後述するように該コネクタＣに上側容器部１０の吐出機構１２の吸入管１２１が連結される。また、このコネクタＣは、上端部において側方に延びる平面視円形状の上側フランジ部Ｃ１と、下端部において側方に延びる平面視円形状の下側フランジ部Ｃ３と、両フランジ部Ｃ１，Ｃ３間に形成された溝部Ｃ２とを備えている。
【００２４】
前記上側容器部１０は、図１に示すように、収容袋Ｂの上部を被覆する側壁１１を有し、側壁１１の上端部に設けられた吐出機構１２と、側壁１１の内部に設けられた装着用雌螺子部１３とを備える。
【００２５】
前記側壁１１は、図１〜図３に示すように、本容器１の内部に格納される収容袋Ｂの上部の側面を被覆する態様で周方向に全周に亘って設けられている。具体的には、この側壁１１は、六角錐状に形成された上側壁１１１と、該上側壁部１１１の下端部に連接され且つ六角筒状に形成された下側壁１１２とからなる。これにより上側容器部１０と下側容器部２０が装着された際には、内部に格納した収容袋Ｂの上部が動くことを防止し得るため、収容袋Ｂを安定的に格納することが可能になる。また、この側壁１１は、上端部に上下方向に連通する接続口１１３が設けられ、該接続口１１３の外周面には前記吐出機構１２を螺着するための雄螺子１１３ａが形成されている。
【００２６】
前記吐出機構１２は、図１および図５に示すように、下方に向かって突出する吸入管１２１と、吸入管１２１を介して流体を吸入するためのポンプ部１２２と、ポンプ部１２２を駆動するトリガー１２３と、ポンプ部１２２の駆動によって吸入された流体を吐出する吐出口１２４とを備えており、吸入管１２１の下端部近傍には流体を吸入するための複数の吸入口１２１ａが設けられている。
【００２７】
この吐出機構１２は、いわゆるトリガー式ポンプ機構が採用されており、側壁１１を手で握持しながら人差し指等でトリガー１２３を操作するものである。具体的には、吸入管１２１の吸入口１２１ａを収容袋ＢのコネクタＣに差し込んだ状態にし、トリガー１２３を操作することによりポンプ部１２２を駆動すると、吸入管１２１の吸入口１２１ａから収容袋Ｂ内の流体が吸入されて、該流体が吸入管１２１を通じて吐出口１２４から吐出される。このとき、上側容器部１０の側壁１１が周方向に全周に亘って設けられていることより、使用時において本容器１を握持し易くなり、吐出機構１２を簡単かつ確実に操作することができる。しかも、ポンプ機構であるため、本容器１に収容袋Ｂが格納されている収容袋Ｂ内の流体を簡単な動作で外部に吐出することができる。
【００２８】
また、この吐出機構１２は、側壁１１の接続口１１３の雄螺子１１３ａと螺着する雌螺子１２ａが形成されており、吐出機構１２を側壁１１の接続口１１３に着脱可能に螺着することができるようになっている。
【００２９】
なお、吐出口１２４から流体を吐出する方向（各図中の破線で示す矢印Ａの方向）を本容器１における「前方」と定義し、またこの前方を基準としてその他の方向（後方、左方、右方）を定義することとする。
【００３０】
前記装着用雌螺子部１３は、図５に示すように、側壁１１の内部において上下方向に延びる筒状に形成され、内周面に雌螺子１３ａが形成されている。この装着用雌螺子部１３は、後述する下側容器部２０の装着用雄螺子部２３と対をなすものである。
【００３１】
前記下側容器部２０は、図１に示すように、収容袋Ｂの下部を被覆する側壁２１を有し、側壁２１の上端部に設けられた中筒２２と、該中筒２２の上端部に設けられた装着用雄螺子部２３と、中筒２２と装着用雄螺子部２３の間に設けられた係止部材２４と、収容袋Ｂの底面を被覆する底壁２５とを備える。
【００３２】
前記側壁２１は、図１〜図３に示すように、本容器１の内部に格納される収容袋Ｂの前方、左方および右方を被覆する態様で設けられており、後方には側壁２１の長さ方向に沿って開口部２１１が形成されている。このため、図１に示すように、上側容器部１０と下側容器部２０が分割された状態では、この開口部２１１から収容袋Ｂが出し入れ可能であることから、収納袋Ｂを取り替えるスペースが広く確保されるため、収容袋Ｂを容易に取り替えることができる。また、この開口部２１１は、図４に示すように、長さ方向に下壁部２１の上端部から下端部に延びる態様で形成され、かつ幅方向に左右の両側壁に至る態様で形成されているため、収納袋Ｂを取り替えるスペースがより広く確保され、収容袋Ｂをより容易に取り替えることができる。さらに、この開口部２１１によって本容器１に収容袋Ｂが格納された際には、図３に示すように、側壁２１に設けられた開口部２１１から収容袋Ｂが視認可能となされている。
【００３３】
前記中筒２２は、図１に示すように、長さ方向の延びる態様で形成された平面視半円状筒であり、上側容器部１０の側壁１１の内周面に内接する径で、かつ上側容器部１０の側壁１１の下側壁１１２の高さ以下で形成されている。このため中筒２２が上側容器部１０に嵌合し得るため、下側容器部２０が上側容器部１０に対して左右方向にずれなることがなくなり、上側容器部１０と下側容器部２０を安定的に装着することができる。
【００３４】
また、中筒２２は、図３に示すように、前方、右方および左方に配置される態様で形成されており、後方には長さ方向に沿って第２の開口部２２１が形成されている。この開口部２２１は、上端部から下端部にかけて長さ方向に延びる態様で形成され、かつ幅方向に中筒２２自身の左右両側壁に至る態様で形成され、下側容器部２０の側壁２１の開口部２１１と連続している。このため下側容器部２０全体としての開口範囲が広くなるため、収納袋Ｂを取り替えるスペースがさらに広く確保され、収容袋Ｂをより一層容易に取り替えることができる。また、中筒２２が収容袋Ｂの上部の側面を支える構造となるため、下側容器部２０を上側容器部１０に装着する際に収容袋Ｂの上部の形状を保持した状態で上側容器部１０内に挿入することができる。
【００３５】
前記装着用雄螺子部２３は、図４に示すように、中筒２２の上端部において上下方向に延びる筒状に形成されており、外周面に雄螺子２３ａが形成されている。この装着用雄螺子部２３は、上述した上側容器部１０の装着用雌螺子部１３と対をなしており、装着用雄螺子部２３と装着用雌螺子部１３が互いに螺着可能となされている。このことより、上側容器部１０と下側容器部２０を長さ方向に装着するに際して、これら装着用雄螺子部２３と装着用雌螺子部１３の螺着によって、上側容器部１０と下側容器部２０の装着状態を安定的に維持することができる。なお、これら装着用雄螺子部２３と装着用雌螺子部１３の螺着が完了したときには、吐出機構１２が前方に向き、且つ下側容器部２０の開口部２１１が後方に向くように雄螺子２３ａおよび雌螺子１３ａがそれぞれ形成されている。
【００３６】
前記係止部材２４は、収容袋Ｂの上端部に設けられたコネクタＣを係止するものであって、図４に示すように、中筒２２と装着用雄螺子部２３の間に設けられている。具体的には、係止部材２４は、装着用雄螺子部２３の下端部の後方側に設けられた嵌入溝２４１と、該嵌入溝２４１の下方に設けられた左右一対の係止片２４２と備え、該係止片２４２の間の挿入口２４２ａが設けられている。この嵌入溝２４１は、本容器１に格納される収容袋ＢのコネクタＣにおける上側フランジ部Ｃ１が嵌入可能である。また、この係止片２４２は、本容器１に格納される収容袋ＢのコネクタＣにおける溝部Ｃ２に嵌入可能である。
【００３７】
而して、下側容器部２０の開口部２１１から収容部Ｂを入れるときに、係止部材２４の嵌入溝２４１にコネクタＣの上側フランジ部Ｃ１を後方から嵌入させるとともに、コネクタＣの溝部Ｃ２に係止部材２４の係止片２４２を嵌入させると、コネクタＣが係止片２４２により左方および右方の両側から挟持される態様で係止される。よって、収容袋ＢのコネクタＣが下側容器部２０内の上部中央に固定されるため、上側容器部１０に下側容器部２０を装着する際に吐出機構１２の吸入管１２１に収容袋ＢのコネクタＣに差し込まれ易くなる。
【００３８】
前記底壁２５は、図１に示すように、側壁２１の下端部に連接された平面視五角形状の平板であり、該底壁２５により本容器１の内部に格納された収容袋Ｂを下方側から支持することができる。また、この底壁２５は、後端部に突片２５１が設けられており、該突片２５１に本容器１の内部に入れられた収容袋Ｂの下端部が引っ掛かるため、収容袋Ｂが開口部２１１から抜け落ちることを防止することができる。
【００３９】
次に、本容器１における収納袋Ｂの取替方法について図６を参照しつつ説明する。
【００４０】
まず、収納袋Ｂの格納に関しては、上側容器部１０と下側容器部２０を長さ方向に分割したのち、図６（ａ）に示すように、収容袋Ｂを側壁２１の開口部２１１から下側容器部２０に沿うように入れる。このとき側壁２１の開口部２１１は、長さ方向に沿って形成されていることから、収納袋Ｂを取り替えるスペースが広く確保されるため、収容袋Ｂを容易に入れることができる。
【００４１】
また、収容袋Ｂを側壁２１の開口部２１１から下側容器部２０に入れる際に、収容袋ＢのコネクタＣを下側容器部２０の係止部材２４に係止させることにより  コネクタＣを下側容器部２０内の上部中央に固定する。
【００４２】
このようにして収容袋Ｂを下側容器部２０内に入れたあと、図６（ｂ）に示すように、その状態で下側容器部２０を上側容器部１０の下方から装着する。この上側容器部１０と下側容器部２０の装着に際しては、上側容器部１０の側壁１１の内側に下側容器部２０の中筒２２を挿入していくと、中筒２２が上側容器部１０に嵌合するため、下側容器部２０が上側容器部１０に対して左右方向にずれなることがなくなり、上側容器部１０と下側容器部２０を安定的に装着することができる。
【００４３】
また、上側容器部１０を下側容器部２０に対して所定の方向に回しながら、上側容器部１０の装着用雌螺子部１３と下側容器部２０の装着用雄螺子部２３が螺着することによって、上側容器部１０と下側容器部２０の装着状態を安定的に維持することができる。
【００４４】
さらに、吐出機構１２の吸入管１２１が上側容器部１０の内部で下方に向けて突出しているため、上側容器部１０と下側容器部２０の装着と同時に吐出機構１２の吸入管１２１が収容袋ＢのコネクタＣに差し込まれることとなり、収容袋Ｂと吐出機構１２を簡単かつ確実に連結させることができる。
【００４５】
かくして、図６（ｃ）に示すように、本容器１に収納袋Ｂが格納された状態となり、本容器１で収容袋Ｂ内の流体を外部に吐出することができるようになる。
【００４６】
一方、収納袋Ｂの取り出しに関しては、図６（ｂ）に示すように、上述とは逆に収容袋Ｂが格納されている本容器１の上側容器部１０と下側容器部２０を長さ方向に分割する。上側容器部１０と下側容器部２０の分割に際しては、上側容器部１０を逆方向に回すことにより、上側容器部１０の装着用雌螺子部１と下側容器部２０の装着用雄螺子部２３との螺着を解除しながら、互いに上下方向に引き離す態様で長さ方向に分割する。
【００４７】
そして、上側容器部１０と下側容器部２０を長さ方向に分割したのち、係止部材２４に係止されているコネクタＣを取り外しながら、下側容器部２０内の収容袋Ｂを側壁２１の開口部２１１から取り出す。
【００４８】
かくして、本容器１から収容袋Ｂが取り出された状態となり、図６（ａ）に示すように、本容器１に新たな収容袋Ｂを取り付けることができるようになる。                    
【００４９】
このように下側容器部２０の側壁２１の開口部２１１から収容袋Ｂが出し入れ可能であることにより、収納袋Ｂを取り替えるスペースが広く確保されるため、収容袋を容易に取り替えることができる。
【００５０】
また、本容器１内に収容袋Ｂが格納された際には、下側容器部２０の側壁２１の開口部２１１から収容袋Ｂが視認可能であることより、収容袋Ｂの表面を本容器１のデザインとして活用し得るため、デザインのバリエーションを増やすことができる。このとき、収容袋Ｂに収容された流体に関する情報を表示したり、収容袋Ｂに任意の情報を記載することも可能になる。しかも、収容している流体が見えるように収容袋Ｂが透明または半透明な素材で形成されている場合、開口部２１１を通じて流体の残量を視覚的に確認することが可能になる。
【００５１】
さらに、上側容器部１０と下側容器部２０が長さ方向に脱着可能に分割されることより、収容袋Ｂを開口部２１１から下側容器部２０に入れたあと、その状態で下側容器部２０を上側容器部１０の下方から装着し得るため、収容袋Ｂと吐出機構１２を簡単かつ確実に連結することができる。特に本実施形態のように吐出機構１２の吸入管１２１が上側容器部１０の内部で下方に向けて突出している場合には、上側容器部１０と下側容器部２０の装着と同時に吐出機構１２の吸入管１２１が収容袋Ｂに差し込まれることとなる。このため吐出機構１２を上側容器部１０から取り外したり、吐出機構１２と収容袋ＢのコネクタＣを別途連結する必要もなくなり、収容袋Ｂと吐出機構１２の吸入管１２１の連結作業が非常に容易になる。また、上側容器部１０と下側容器部２０の分割と同時に吐出機構１２の吸入管１２１が収容袋ＢのコネクタＣから抜けることとなるため、吐出機構１２１を上側容器部１０から取り外したり、吐出機構１２１と収容袋ＢのコネクタＣを別途連結解除する必要もなくなり、収容袋Ｂと吐出機構１２の吸入管１２１の連結解除作業も非常に容易になる。
【００５２】
なお、本実施形態では、下側容器部２０の側壁２１に設けられた開口部２１１が上端部から下端部に延びる態様となされている場合について説明したが、上端部から下端部までの間の一部であってもよい。
【００５３】
また、下側容器部２０に中筒２２が設けられる場合について説明したが、設けられなくてもよい。
【００５４】
また、中筒２２に第２の開口部２２１が設けられる場合について説明したが、設けられなくてもよい。
【００５５】
また、下側容器部２０に底壁２５が設けられる場合について説明としたが、設けられなくてもよい。
【００５６】
また、下側容器部２０に係止部材２４が設けられる場合について説明したが、設けられなくてもよい。
【００５７】
また、係止部材２４が中筒２２と装着用雄螺子部２３の間に設けられている場合について説明したが、下側容器部２０におけるその他の位置に設けられてもよい。ただ、収容袋ＢのコネクタＣは上部に設けられる場合が多いため、本実施形態のように係止部材２４もまた下側容器部の上部に設けられるのが好ましい。
【００５８】
また、係止部材２４が嵌入溝２４１と係止片２４２を備える場合について説明したが、収容袋ＢのコネクタＣを係止するものであれば、他の任意の構成要素よりなるものであってもよい。
【００５９】
また、装着用雄螺子部２３が中筒２２の上端部に設けられる場合について説明したが、下側容器部２０における任意の位置に設けられてもよい。一方の装着用雌螺子部１３も上側容器部１０における任意の位置に設けられてもよい。あるいは、装着用雄螺子部２３および装着用雌螺子部１３が設けられなくてもよい。
【００６０】
また、上側容器部１０の側壁１１が周方向に全周に亘って設けられている場合について説明したが、周方向に全周に亘って設けられていなくてもよい。なお、上述において用いた「周方向の全周に亘って」の文言は、側壁１１が完全に周方向を隙間なく包囲する意味を含むことはもとより、スリットや隙間が形成されているような、完全に隙間なく周方向を包囲していないものも含む。要は、使用時において本容器１が握持し易くなる程度に、周方向に側壁１１が設けられていればよい。
【００６１】
また、吐出機構としてトリガー式ポンプ機構を採用したが、その他のポンプ機構を採用するようにしてもよいし、あるいはポンプ機構を採用しないものであってもよい。  
【００６２】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【符号の説明】
【００６３】
１…流体吐出容器（本容器）
１０…上側容器部
１１…側壁
１１１…上側壁
１１２…下側壁
１１３…接続口
１１３ａ…雄螺子
１２…吐出機構
１２１…吸入管
１２１ａ…吸入口
１２２…ポンプ部
１２３…トリガー
１２４…吐出口
１２ａ…雌螺子
１３…装着用雌螺子部
１３ａ…雌螺子
２０…下側容器部
２１…側壁
２１１…開口部
２２…中筒
２２１…開口部
２３…装着用雄螺子部
２３ａ…雄螺子
２４…係止部材
２４１…嵌入溝
２４２…係止片
２４２ａ…挿入口
２５…底壁
２５ａ…突片
Ｂ…収容袋
Ｃ…コネクタ
Ｃ１…上側フランジ部
Ｃ２…溝部
Ｃ３…下側フランジ部
【図１】
2014065535.tif 000003
【図２】
2014065535.tif 000004
【図３】
2014065535.tif 000005
【図４】
2014065535.tif 000006
【図５】
2014065535.tif 000007
【図６】
2014065535.tif 000008